(57)【要約】【課題】映像表示時の光を用いて暗所で蓄光顔料を発光させることのできる映像表示装置を提供すること。【解決手段】液晶パネル２１は，電圧が印加されていない状態で透過率が最大となるノーマリーホワイトの液晶パネルである。そして，液晶表示装置Ｘでは，液晶パネル２１の裏面２１ａに，光を蓄積して暗所で発光する性質を有する蓄光顔料が塗布されている。蓄光顔料は，例えば硫化亜鉛（ZnS系）やアルミン酸ストロンチウム（SrAl2O4系）などである。この液晶表示装置Ｘでは，液晶パネル２１による通常の映像表示時の光を蓄光顔料に蓄積させ，暗所などにおいてその蓄光顔料を発光させることができる。【選択図】図２
2011248096.tif 000002
【特許請求の範囲】
【請求項１】
入力される映像信号に基づいて映像表示パネルに映像を表示する映像表示装置であって，
前記映像表示パネル及び／又は前記映像表示パネルの近傍に蓄光顔料が塗布されてなることを特徴とする映像表示装置。
【請求項２】
前記映像表示パネルが液晶パネルであって，
前記液晶パネルを背後から照明するバックライト装置を備えてなる請求項１に記載の映像表示装置。
【請求項３】
前記液晶パネルが，電圧が印加されていない状態で透過率が最大となるノーマリーホワイトの液晶パネルであって，
前記蓄光顔料が，前記液晶パネルの裏面又は前記バックライト装置内に塗布されてなる請求項２に記載の映像表示装置。
【請求項４】
前記液晶パネルが，電圧が印加されていない状態で透過率が最小となるノーマリーブラックの液晶パネルであって，
前記蓄光顔料が，前記液晶パネルの裏面又は前記バックライト装置内に塗布されてなり，
当該映像表示装置の電源切状態で前記液晶パネルの液晶素子に電圧を印加する電圧印加手段を更に備えてなる請求項２に記載の映像表示装置。
【請求項５】
前記蓄光顔料が，前記バックライト装置に設けられた光源から照射される光を前記液晶パネル側に向けて反射させるための光反射部材に塗布されてなる請求項３又は４のいずれかに記載の映像表示装置。
【請求項６】
前記光源が少なくとも冷陰極管を含むものであって，
前記光反射部材に塗布される前記蓄光顔料が，該光反射部材のうち前記冷陰極管の背後に対応する箇所のみに塗布されたものである請求項５に記載の映像表示装置。
【請求項７】
前記バックライト装置の駆動を停止させた状態で前記液晶パネルの液晶素子を駆動させて映像又は静止画を表示させる消灯時表示手段を更に備えてなる請求項３〜６のいずれかに記載の映像表示装置。
【請求項８】
当該映像表示装置の電源切状態における前記液晶パネルの液晶素子への電圧の印加の有無を切り替える発光切替手段を更に備えてなる請求項３〜７のいずれかに記載の映像表示装置。
【請求項９】
前記映像表示装置が，テレビジョン受像機，ディスプレイ装置，携帯電話機，携帯情報端末のいずれかである請求項１〜８のいずれかに記載の映像表示装置。
【発明の詳細な説明】
【技術分野】
【０００１】
本発明は，映像表示パネルに映像を表示する映像表示装置に関し，特に，蓄光顔料を用いて暗所で照明機能を発揮することのできる映像表示装置に関するものである。
【背景技術】
【０００２】
従来から，光を蓄積して暗所で発光する性質を有する蓄光顔料として，硫化亜鉛（ZnS系）やアルミン酸ストロンチウム（SrAl2O4系）などが知られている。一般に，これらの蓄光顔料は，例えば時計の文字盤などに塗布して用いられている。
また，例えば特許文献１には，蓄光顔料で文字，図形，模様などを形成しておき，太陽光や外部光源からの光を蓄光して，夜間にその文字，図形，模様などを発光表示させるディスプレイ装置が開示されている。
【先行技術文献】
【特許文献】
【０００３】
【特許文献１】特開平８−３０２１５号公報
【発明の概要】
【発明が解決しようとする課題】
【０００４】
前述したように，蓄光顔料に光を蓄積させるためには，その蓄光顔料が太陽光や外部光源からの光を受けることが必要となるが，例えば太陽光が差し込まない暗室などでは太陽光による蓄光ができない。そのため，この場合には，照明器具などの外部光源で蓄光顔料に光を照射する必要があり，該蓄光顔料を発光させるためだけに，外部光源のエネルギー消費を伴うこととなり，省エネルギーに反するという問題がある。
ところで，液晶テレビジョン受像機や液晶ディスプレイ装置などの液晶表示装置で映像を表示する際には，液晶パネルがその背面に設けられたバックライト装置によって照明される。また，プラズマディスプレイや有機ＥＬディスプレイでは映像を表示する際に自己発光を伴う。
従って，本発明は上記事情に鑑みてなされたものであり，その目的とするところは，映像表示時の光を用いて暗所で蓄光顔料を発光させることのできる映像表示装置を提供することにある。
【課題を解決するための手段】
【０００５】
上記目的を達成するために本発明は，入力される映像信号に基づいて映像表示パネルに映像を表示する映像表示装置であって，前記映像表示パネルや前記映像表示パネルの近傍に蓄光顔料が塗布されてなることを特徴とする映像表示装置として構成される。例えば，前記映像表示装置は，テレビジョン受像機，ディスプレイ装置，携帯電話機，携帯情報端末などである。
本発明によれば，前記映像表示パネルによる通常の映像表示時の光を前記蓄光顔料に蓄積させ，暗所などにおいてその蓄光顔料を発光させることにより，当該映像表示装置を照明器具やインテリア照明などとして用いることが可能である。また，前記蓄光顔料は発光時に電力供給を必要としないため，例えば災害時における非常灯として利用することもできる。さらに，前記映像表示装置を夜間に常時発光させれば防犯にも効果的である。
【０００６】
具体的に，前記映像表示装置は，前記映像表示パネルが液晶パネルであって，前記液晶パネルを背後から照明するバックライト装置を備えてなる液晶表示装置であることが考えられる。
このとき，前記液晶パネルが，電圧が印加されていない状態で透過率が最大となるノーマリーホワイトの液晶パネルであれば，前記蓄光顔料が，前記液晶パネルの裏面又は前記バックライト装置内に塗布されていても，当該映像表示装置の電源切時に，その蓄光顔料による光を外部に照射することが可能である。
もちろん，前記液晶パネルが，電圧が印加されていない状態で透過率が最小となるノーマリーブラックの液晶パネルであって，前記蓄光顔料が，前記液晶パネルの裏面又は前記バックライト装置内に塗布されている構成であっても，当該映像表示装置の電源切状態で前記液晶パネルの液晶素子に電圧を印加する電圧印加手段を更に備えてなる場合には，当該映像表示装置の電源切時に，前記電圧印加手段から前記液晶パネルの液晶素子に電圧を印加して該液晶パネルを透過状態にすることで，その蓄光顔料による光を外部に照射することが可能である。
ここに，前記蓄光顔料が前記バックライト装置内に塗布される場合の具体例としては，前記蓄光顔料が，前記バックライト装置に設けられた光源から照射される光を前記液晶パネル側に向けて反射させるための光反射部材に塗布されてなることが考えられる。
但し，この場合，前記光反射部材の反射率の低下が懸念される。そこで，前記光源が少なくとも冷陰極管を含むものである場合には，前記光反射部材に塗布される前記蓄光顔料が，該光反射部材のうち前記冷陰極管の背後に対応する箇所のみに塗布されたものであることが望ましい。これにより，前記バックライト装置による照明の光量の大きさにできるだけ影響を与えずに前記蓄光顔料を塗布することができる。
また，前記蓄光顔料が，前記液晶パネルの裏面や前記バックライト装置内に塗布されている構成においては，前記バックライト装置の駆動を停止させた状態で前記液晶パネルの液晶素子を駆動させて映像や静止画を表示させる消灯時表示手段を更に備えることにより，前記蓄光顔料からの光を用いて消費電力を省減しつつ映像や静止画を表示させることもできる。
さらに，当該映像表示装置の電源切状態における前記液晶パネルの液晶素子への電圧の印加の有無を切り替える発光切替手段を更に備えてなることが考えられる。これにより，ユーザは，暗所における前記液晶パネルの発光の有無を任意に切り替えることが可能となる。
【発明の効果】
【０００７】
本発明によれば，前記映像表示パネルによる通常の映像表示時の光を前記蓄光顔料に蓄積させ，暗所などにおいてその蓄光顔料を発光させることにより，当該映像表示装置を照明器具やインテリア照明などとして用いることが可能である。また，前記蓄光顔料は発光時に電力供給を必要としないため，例えば災害時における非常灯として利用することもできる。さらに，前記映像表示装置を夜間に常時発光させれば防犯にも効果的である。
【図面の簡単な説明】
【０００８】
【図１】本発明の実施の形態に係る液晶表示装置Ｘの概略構成の要部を示すブロック図。
【図２】本発明の実施の形態に係る液晶表示装置Ｘの内部構成の要部を示す側断面図。
【発明を実施するための形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
本発明に係る映像表示装置は，映像を表示する映像表示パネルを有するテレビジョン受像機，ディスプレイ装置，携帯電話機，携帯情報端末（ＰＤＡ等）などである。前記映像表示パネルとしては，例えば液晶パネルやプラズマディスプレイ，有機ＥＬディスプレイなどが考えられる。本実施の形態では，前記映像表示装置の一例として，液晶パネルに用いて映像を表示する液晶表示装置を例に挙げて説明する。
図１に示すように，本発明の実施の形態に係る液晶表示装置Ｘは，液晶テレビジョン受像機や液晶ディスプレイ装置などであって，表示制御部１１，液晶パネル２１，液晶駆動部２２，バックライト装置３１，バックライト制御部３２などを備えて概略構成されている。なお，前記液晶表示装置Ｘは，この他にもスピーカやリモコンなどの一般的な映像表示装置が備える構成要素を有するが，その点については従来と同様であるため，その説明を省略する。
【００１０】
前記液晶パネル２１は，液晶層と該液晶層に走査信号及びデータ信号を印加するための走査電極及びデータ電極とによって形成され，印加電圧により透過率が変化する複数の液晶素子を有する従来周知のアクティブマトリクス型の液晶パネル（映像表示パネルの一例）である。ここで，前記液晶パネル２１は，前記液晶素子に電圧が印加されない状態で透過率が最大となる所謂ノーマリーホワイトの液晶パネルである。なお，前記液晶パネル２１における各画素は，Ｒ，Ｇ，Ｂ各色に対応する３つの前記液晶素子によって形成される。
前記バックライト装置３１は，前記液晶パネル２１の背面側に配列されたＬＥＤ（発光ダイオード）やＣＣＦＬ（冷陰極管）などの光源を有しており，該光源により前記液晶パネル２１を背後から照明するものである。
前記表示制御部１１は，ＭＰＵやＲＡＭ，ＲＯＭなどの制御機器を有しており，前記ＭＰＵが前記ＲＯＭに記憶された所定の制御プログラムに従って処理を実行することにより，前記液晶駆動部２２や前記バックライト制御部３２に制御指示を与え，前記液晶パネル２１や前記バックライト装置３１の動作を制御する。
具体的に，前記表示制御部１１は，不図示のアンテナによって受信されるテレビジョン放送や不図示の外部入力端子から入力される映像コンテンツなどに含まれた映像信号を受信し，該映像信号に基づいて垂直同期信号や水平同期信号などを生成する。そして，前記表示制御部１１は，前記映像信号や前記垂直同期信号，前記水平同期信号を前記液晶駆動部２２に入力する。
これにより，前記液晶駆動部２２は，前記表示制御部１１から入力された前記映像信号や前記垂直同期信号，前記水平同期信号に基づいて，前記液晶パネル２１の液晶素子各々への印加電圧を制御することにより前記液晶パネル２１に映像を表示させる。
【００１１】
続いて，図２を用いて，前記液晶表示装置Ｘの内部構成について説明する。
図２に示すように，前記バックライト装置３１は，前記液晶パネル２１を背後から照明するための光源として，上下方向に配列された複数のＣＣＦＬ（冷陰極管）４１と，前記冷陰極管４１による赤色の波長光の発光強度を補強するＬＥＤ（発光ダイオード）４２とを備えている。もちろん，前記バックライト装置３１が前記ＣＣＦＬ４１又は前記ＬＥＤ４２のいずれかの光源のみを有する構成であってもよい。
また，前記液晶表示装置Ｘは，前記バックライト装置３１の前記ＣＣＦＬ４１から照射された光を前記液晶パネル２１側に向けて反射させるための反射シート（反射板）１と，前記バックライト装置３１から前記液晶パネル２１に照射される光に配色特性及び輝度分布特性を持たせる拡散板２，拡散シート３，プリズムシート４及び反射偏光シート５と，これらを収容する筐体６とを備えている。
【００１２】
そして，前記液晶表示装置Ｘでは，前記液晶パネル２１の裏面２１ａ（バックライト装置３１側の面）に，光を蓄積して暗所で発光する性質を有する蓄光顔料が塗布されている。なお，前記蓄光顔料は，前記液晶パネル２１の全面に塗布されていてもよいが，模様などを形成するように前記液晶パネル２１の一部のみに塗布されていてもよい。
前記蓄光顔料は，例えば硫化亜鉛（ZnS系）やアルミン酸ストロンチウム（SrAl2O4系）などである。特に，前記蓄光顔料としてアルミン酸ストロンチウム（SrAl2O4系）を結晶母体とする蛍光体であるルミノーバ（根本特殊化学株式会社の登録商標）を用いれば，一晩中発光させることも可能となる。
このように構成された前記液晶表示装置Ｘでは，前記液晶パネル２１に映像を表示するべく該液晶パネル２１が前記バックライト装置３１によって照明されるときに，該液晶パネル２１の裏面２１ａに塗布された前記蓄光顔料に光を蓄積されることになる。これにより，その後に前記液晶表示装置Ｘの電源が切られた場合には，前記蓄光顔料が発光することとなる。
具体的に，前述したように前記液晶パネル２１はノーマリーホワイトの液晶パネルであるため，前記液晶表示装置Ｘの電源が切られた状態では，該液晶パネル２１の透過率は最大となっている。そのため，前記液晶表示装置Ｘの周囲が暗い状態であれば，前記液晶パネル２１の裏面２１ａに塗布された前記蓄光顔料に蓄積されていた光が，該蓄光顔料から前記液晶パネル２１を透過して外部に照射されることとなる。なお，前記液晶表示装置Ｘの電源が切られた場合とは，該液晶表示装置Ｘがスタンバイモードなどの省電力モード時である状態を含む概念である。
このように，前記液晶表示装置Ｘでは，前記液晶パネル２１による通常の映像表示時の光を前記蓄光顔料に蓄積させ，暗所などにおいてその蓄光顔料を発光させることにより，当該液晶表示装置Ｘを照明器具やインテリア照明などとして用いることが可能である。また，前記蓄光顔料は発光時に電力供給を必要としないため，例えば災害時における非常灯として利用することもできる。さらに，前記液晶表示装置Ｘを夜間に常時発光させれば防犯にも効果的である。
また，前記液晶表示装置Ｘでは前記液晶パネル２１がノーマリーホワイトであるため，前記液晶表示装置Ｘの電源切状態において電力を消費することなく前記蓄光顔料からの光を前記液晶パネル２１を透過させて外部に照射させることが可能である。さらに，前記液晶表示装置Ｘの電源が切られた状態であっても，該液晶表示装置Ｘの液晶パネル２１に太陽光や照明器具の光が前記液晶パネル２１に照射される場合には，該液晶パネル２１を透過した光を前記蓄積顔料に蓄積することもできる。
【００１３】
なお，前記蓄光顔料を塗布する箇所は，前記液晶パネル２１の裏面２１ａに限らない。例えば，前記液晶パネル２１の裏面２１ａに代えて或いは裏面２１ａと併せて，表面２１ｂに前記蓄光顔料を塗布することも考えられる。この場合には，前記液晶パネル２１がノーマリーホワイト又はノーマリーブラックのいずれであっても，前記液晶表示装置Ｘの電源切状態で周囲が暗い状況において，前記液晶パネル２１を発光させることができる。もちろん，前記液晶パネル２１の表面２１ｂに塗布する前記蓄光顔料で模様などを形成しておけば，暗所で前記蓄光顔料がその模様などを発光表示することとなり，前記液晶表示装置Ｘをインテリア照明として利用することも可能である。
【実施例１】
【００１４】
ところで，前記実施の形態に係る前記液晶表示装置Ｘにおいて，前記蓄光顔料を前記液晶パネル２１に直接塗布すると，該液晶パネル２１の透過率が低下することも考えられる。
そこで，前記液晶表示装置Ｘにおいて，前記蓄光顔料を，前記液晶パネル２１に直接塗布するのではなく該液晶パネル２１の近傍に配置される部材に塗布することが考えられる。以下，具体例について説明する。
【００１５】
例えば，前記液晶パネル２１は，その裏面に配線される線材によって光が遮られるため，その開口率は１００％にならない。そこで，前記蓄光顔料を，前記液晶パネル２１には直接塗布せずに該液晶パネル２１の裏側に配線される線材のみに塗布することが考えられる。
このように，そもそも前記液晶パネル２１を透過する光を遮るはずの前記線材に前記蓄光顔料が塗布された構成では，前記液晶パネル２１の通常の映像表示時の透光率を低下させることなく，暗所において前記線材に塗布された蓄光顔料を発光させることができる。なお，このとき前記蓄光顔料は，前記線材の全部に塗布してもよいが，例えば模様などが形成されるように前記線材の一部のみに塗布することも考えられる。
なお，前記液晶パネル２１の近傍の他の例として該液晶パネル２１の前面の外周部に前記蓄光顔料を塗布することも考えられる。
【００１６】
また，前記蓄光顔料は，前記バックライト装置３１内に設けられた部材に塗布されてなることが考えられる。例えば，前記液晶パネル２１の背面側に配置された前記拡散板２，拡散シート３，プリズムシート４，反射偏光シート５などに塗布することが考えられる。
さらに，前記バックライト装置３１のＣＣＦＬ４１からの光を反射する前記反射シート１に前記蓄光顔料を塗布することが考えられる。このとき，前記蓄光顔料を前記反射シート１の全面に塗布すると，該反射シート１における反射率が低下し，通常の映像表示時の明るさが低下するおそれがある。一方，前記反射シート１のうち前記ＣＣＦＬ４１各々の背後に対応する箇所１ａ（図２参照）の反射率の低下が前記バックライト装置３１の光量に与える影響は小さい。
そこで，前記反射シート１に前記蓄光顔料を塗布する場合には，前記蓄光顔料を，前記反射シート１のうち前記ＣＣＦＬ４１各々の背後に対応する箇所１ａ（図２参照）のみに塗布しておくことが考えられる。これにより，前記反射シート１の反射率の低下を抑制しつつ，該反射シート１に塗布された蓄光顔料により前記液晶パネル２１を照明させることができる。
【実施例２】
【００１７】
前記実施の形態では，前記液晶表示装置Ｘの液晶パネル２１が所謂ノーマリーホワイトの液晶パネルである場合を例に挙げて説明したが，前記液晶パネル２１が，電圧が印加されていない状態で透光率が最小となるノーマリーブラックの液晶パネルであることも他の実施例として考えられる。
但し，この場合には，前記液晶表示装置Ｘの電源が切られた状態で，前記液晶パネル２１の透光率が最小となるため，該液晶パネル２１の裏面２１ａやバックライト装置３１内に蓄光顔料が塗布されている場合には，該蓄光顔料の光を外部に照射することができない。
そこで，前記液晶表示装置Ｘの電源が切られた状態であっても，前記液晶パネル２１の液晶素子に電圧を印加することが必要である。このとき，前記液晶駆動部２２によって前記液晶パネル２１の液晶素子への電圧の印加が行われてもよいが，前記液晶駆動部２２を駆動させるためには該液晶駆動部２２に関連する前記表示制御部１１などの他の構成要素も同時に駆動させる必要が生じるための省電力化を阻害する。
したがって，前記液晶パネル２１がノーマリーブラックであって，該液晶パネル２１の裏面２１ａやバックライト装置３１内に蓄光顔料が塗布されている場合には，前記液晶表示装置Ｘの電源切状態において前記液晶パネル２１の液晶素子に電圧を印加するための電圧印加手段を，前記液晶駆動部２２とは別に設けておくことが望ましい。例えば，所定の電源装置から前記液晶パネル２１の液晶素子の全部又は一部に電圧を印加するための電力供給経路（電圧印加手段の一例）を設けておくことが考えられる。
これにより，前記液晶表示装置Ｘの電源切状態において，前記表示制御部１１や前記液晶駆動部２２で制御処理を実行することなく，前記電力供給経路によって前記液晶パネル２１の液晶素子に強制的に電圧を印加することで，該液晶パネル２１の透過率を最大にして前記蓄光顔料からの光を透過させることが可能である。
【実施例３】
【００１８】
また，前記液晶表示装置Ｘにおいて，暗所における前記液晶パネル２１の発光の有無を切り替えたいという状況も想定される。
そこで，前記液晶表示装置Ｘが，該液晶表示装置Ｘの電源切状態において，前記液晶パネル２１の液晶素子への電圧の印加の有無の切り替える発光切替手段を更に備える構成が望ましい。
【００１９】
例えば，前記液晶パネル２１がノーマリーホワイトの場合には，前記液晶表示装置Ｘの本体又はリモコンなどの操作部に設けられた切替スイッチを備えてなり，前記液晶駆動部２２が，前記切替スイッチの操作に応じて当該液晶表示装置Ｘの電源切状態における前記液晶パネル２１の液晶素子への電圧の印加の有無を切り替えることにより該液晶パネル２１の透過率を変更することが考えられる。ここに，前記切替スイッチ及び前記液晶駆動部２２が発光切替手段に相当する。但し，この場合には，前記液晶表示装置Ｘの電源切状態でも前記液晶駆動部２２を駆動させておく必要がある。なお，前記液晶表示装置Ｘの電源入状態において，事前に該液晶表示装置Ｘの電源切状態における前記液晶パネル２１への通電の有無が初期設定されることも考えられる。
このような構成によれば，ユーザは，前記切替スイッチを操作して前記液晶駆動部２２から前記液晶パネル２１の液晶素子に電圧を印加させることにより，該液晶パネル２１の透過率を最小にして前記蓄光顔料による照明が行われないようにすることができる。逆に，前記液晶駆動部２２から前記液晶パネル２１の液晶素子に電圧を印加させないことで，該液晶パネル２１の透過率を最大にして前記蓄光顔料による照明が行われるようにすることができる。
【００２０】
また，前記液晶パネル２１がノーマリーブラックの場合には，当該液晶表示装置Ｘの電源切状態における前記電力供給経路（前記実施例２参照）の確立及び遮断のいずれかに切り替えるリレーと，該リレーの状態を切り替えるための切替スイッチとを備えてなる構成が考えられる。ここに，前記リレー及び前記切替スイッチが発光切替手段に相当する。
このような構成によれば，ユーザは，前記切替スイッチを操作して前記リレーにより前記電力供給経路を確立させて前記液晶パネル２１の液晶素子に電圧を印加させることにより，該液晶パネル２１の透過率を最大にして前記蓄光顔料による照明を行わせることができる。逆に，前記電力供給経路を遮断させて前記液晶パネル２１の液晶素子に電圧を印加させないことにより，該液晶パネル２１の透過率を最小にして前記蓄光顔料による照明が行われないようにすることができる。
【実施例４】
【００２１】
ところで，近年では，前記液晶表示装置Ｘが，該液晶表示装置Ｘの電源が切れた状態で，絵画などの静止画を常時表示させるウォールピクチャーモードを搭載していることがある。このウォールピクチャーモードでは，通常の映像表示時に比べて明るさが低くてもよいと考えることもできる。
そこで，前記液晶表示装置Ｘが前記ウォールピクチャーモードで動作する場合には，前記バックライト装置３１の駆動を停止させて消灯させた状態で前記液晶パネル２１の液晶素子を駆動させて静止画を表示させることが考えられる。これにより，前記液晶パネル２１の裏面２１ａや前記バックライト装置３１内に蓄光顔料が塗布されている場合には，該蓄光顔料からの光によって前記液晶パネル２１に静止画を表示させることができ，消費電力を抑制しつつウォールピクチャーモードを実現することができる。ここに，係る処理は，例えば前記液晶表示装置Ｘのメイン制御部や前記表示制御部１１などの制御主体によって実行され，そのときの制御主体が消灯時表示手段の一例である。
また，携帯電話機や携帯情報端末では，ある程度操作がなされない場合に液晶パネルの表示を通常よりも暗くすることがある。さらに，店内が薄暗い飲食店などで前記液晶表示装置Ｘが用いられる場合には，液晶パネルの映像表示の明るさが意図的に暗く設定されることもある。そこで，このような場合にも，前記ウォールピクチャーモードにおける動作と同様に，バックライト装置を消灯させた状態で，液晶パネルの液晶素子を駆動させることにより，液晶パネルの裏面やバックライト装置内に塗布された蓄光顔料による照明を利用して，消費電力を抑制しつつ液晶パネルに映像を表示させることが可能となる。ここに，係る処理も，例えば前記液晶表示装置Ｘのメイン制御部や前記表示制御部１１などの制御主体によって実行され，そのときの制御主体が消灯時表示手段の一例である。
【符号の説明】
【００２２】
１  …反射シート（光反射部材の一例）
２  …拡散板
３  …拡散シート
４  …プリズムシート
５  …反射偏光シート
６  …筐体
１１…表示制御部
２１…液晶パネル（映像表示パネルの一例）
２１ａ…裏面
２１ｂ…表面
２２…液晶駆動部
３１…バックライト装置
３２…バックライト制御部
４１…冷陰極管
４２…ＬＥＤ
Ｘ  …液晶表示装置（映像表示装置の一例）
【図１】
2011248096.tif 000003
【図２】
2011248096.tif 000004